(57)【要約】【課題】形状が類似するジャックに対するプラグの誤挿入をより確実に防止することができる電子機器を実現する。【解決手段】ＴＶ受像機１００の筐体１において、第１モジュラジャック１１の近傍に第１モジュラジャックの開口形状を呈する第１プラグ指標である第１穴部１１ａを設け、第２モジュラジャック１２の近傍に第２モジュラジャックの開口形状を呈する第２プラグ指標である第２穴部１２ａを設けることによって、ユーザは、第１穴部１１ａの形状と第１モジュラプラグ５１の形状が一致することを確認して、その第１モジュラプラグ５１を第１モジュラジャック１１に差し込むことや、第２穴部１２ａの形状と第２モジュラプラグ５２の形状が一致することを確認して、その第２モジュラプラグ５２を第２モジュラジャック１２に差し込むことを可能にした。【選択図】図３
2008181736.tif 000002
【特許請求の範囲】
【請求項１】
ＬＡＮ接続用の第１モジュラプラグが差し込まれる第１モジュラジャックと、電話回線接続用の第２モジュラプラグが差し込まれる第２モジュラジャックと、を備える電子機器において、
前記第１モジュラジャック及び前記第２モジュラジャックは、前記電子機器の筐体を正対して臨んだときに隠れた位置に配設されており、
前記筐体における前記第１モジュラジャックの近傍には、その第１モジュラジャックの開口形状を呈するとともに、前記第１モジュラジャックに対応する第１モジュラプラグを挿入可能な第１穴部が形成された第１プラグ指標が、前記筐体を正対して臨んだ際にその第１モジュラジャックの配置を示す位置に視認可能に設けられ、前記筐体における前記第２モジュラジャックの近傍には、その第２モジュラジャックの開口形状を呈するとともに、前記第２モジュラジャックに対応する第２モジュラプラグを挿入可能な第２穴部が形成された第２プラグ指標が、前記筐体を正対して臨んだ際にその第２モジュラジャックの配置を示す位置に視認可能に設けられており、
前記第１プラグ指標及び前記第２プラグ指標は、それぞれのモジュラジャックに差し込まれるモジュラプラグの差し込み可能な向きを示していることを特徴とする電子機器。
【請求項２】
ＬＡＮ接続用の第１モジュラプラグが差し込まれる第１モジュラジャックと、電話回線接続用の第２モジュラプラグが差し込まれる第２モジュラジャックと、を備える電子機器において、
前記電子機器の筐体における前記第１モジュラジャックの近傍には、その第１モジュラジャックの開口形状を呈する第１プラグ指標が設けられ、前記筐体における前記第２モジュラジャックの近傍には、その第２モジュラジャックの開口形状を呈する第２プラグ指標が設けられていることを特徴とする電子機器。
【請求項３】
前記第１プラグ指標には、前記第１モジュラジャックに対応する第１モジュラプラグを挿入可能な第１穴部が形成され、前記第２プラグ指標には、前記第２モジュラジャックに対応する第２モジュラプラグを挿入可能な第２穴部が形成されていることを特徴とする請求項２に記載の電子機器。
【請求項４】
前記第１プラグ指標及び前記第２プラグ指標は、それぞれのモジュラジャックに差し込まれるモジュラプラグの差し込み可能な向きを示していることを特徴とする請求項２又は３に記載の電子機器。
【請求項５】
前記第１モジュラジャック及び前記第２モジュラジャックは、前記筐体を正対して臨んだときに隠れた位置に配設されており、
前記第１プラグ指標及び前記第２プラグ指標は、前記筐体を正対して臨んだ際に、それぞれ前記第１モジュラジャック及び前記第２モジュラジャックの配置を示す位置に視認可能に設けられていることを特徴とする請求項２〜４の何れか一項に記載の電子機器。
【発明の詳細な説明】
【技術分野】
【０００１】
本発明は、電子機器に関する。
【背景技術】
【０００２】
従来、各種装置やシステムと接続するために複数のモジュラジャックを備える機器において、各モジュラジャックとそのモジュラジャックに差し込まれるモジュラコード（モジュラプラグ）とを、対応する組ごとに色分けすることによって、モジュラコードの差し間違いを防止する技術が知られている（例えば、特許文献１参照。）。
また、複数のモジュラジャックを備える機器において、各モジュラジャックとそのモジュラジャックに差し込まれるモジュラコードのプラグとを、対応する組ごとに異なる形状とすることによって、モジュラコードの差し間違いを防止する技術が知られている（例えば、特許文献２参照。）。
また、Ｓ端子ソケットにＳ端子プラグを挿入する角度を容易に決定できるように、Ｓ端子プラグに突出部を設けるとともに、Ｓ端子ソケットにプラグの突出部が嵌合する切欠部を設ける技術が知られている（例えば、特許文献３参照。）。
【特許文献１】実開平７−２５５８９号公報
【特許文献２】特開２００３−１３３００４号公報
【特許文献３】特開平１１−２３８５５５号公報
【発明の開示】
【発明が解決しようとする課題】
【０００３】
ところで、デジタルテレビ等の電子機器ではデータ放送に対応するため、ＬＡＮに接続するためのＲＪ−４５ジャックと、電話回線に接続するためのＲＪ−１１ジャックの両方を備えるものがある。
そして、ＲＪ−４５ジャックとＲＪ−１１ジャックは形が似ているため、モジュラコードのプラグを差し間違えてしまうことがある。特に、ＲＪ−４５ジャックにＲＪ−１１用のモジュラプラグを誤挿入してしまうと、抜き出しにくく嵌ってしまうことがあり、無理に取り外すことによって、そのジャックやプラグを損傷してしまうことがあるという問題があった。
【０００４】
また、上記従来技術を適用して、各モジュラジャックとそのジャックに差し込まれるモジュラコードのプラグとを、対応する組ごとに色分けしたり異なる形状にしたりしても、モジュラコードのプラグの差込口であるジャックが見え難い箇所に配設された機器である場合には、ジャックの確認が不十分であるために、そのジャックに対してプラグを誤挿入してしまうことがあるという問題があった。
【０００５】
本発明の目的は、形状が類似するジャックに対するプラグの誤挿入をより確実に防止することができる電子機器を提供することである。
【課題を解決するための手段】
【０００６】
以上の課題を解決するため、請求項１に記載の発明は、
ＬＡＮ接続用の第１モジュラプラグが差し込まれる第１モジュラジャックと、電話回線接続用の第２モジュラプラグが差し込まれる第２モジュラジャックと、を備える電子機器において、
前記第１モジュラジャック及び前記第２モジュラジャックは、前記電子機器の筐体を正対して臨んだときに隠れた位置に配設されており、
前記筐体における前記第１モジュラジャックの近傍には、その第１モジュラジャックの開口形状を呈するとともに、前記第１モジュラジャックに対応する第１モジュラプラグを挿入可能な第１穴部が形成された第１プラグ指標が、前記筐体を正対して臨んだ際にその第１モジュラジャックの配置を示す位置に視認可能に設けられ、前記筐体における前記第２モジュラジャックの近傍には、その第２モジュラジャックの開口形状を呈するとともに、前記第２モジュラジャックに対応する第２モジュラプラグを挿入可能な第２穴部が形成された第２プラグ指標が、前記筐体を正対して臨んだ際にその第２モジュラジャックの配置を示す位置に視認可能に設けられており、
前記第１プラグ指標及び前記第２プラグ指標は、それぞれのモジュラジャックに差し込まれるモジュラプラグの差し込み可能な向きを示していることを特徴とする。
【０００７】
請求項２に記載の発明は、
ＬＡＮ接続用の第１モジュラプラグが差し込まれる第１モジュラジャックと、電話回線接続用の第２モジュラプラグが差し込まれる第２モジュラジャックと、を備える電子機器において、
前記電子機器の筐体における前記第１モジュラジャックの近傍には、その第１モジュラジャックの開口形状を呈する第１プラグ指標が設けられ、前記筐体における前記第２モジュラジャックの近傍には、その第２モジュラジャックの開口形状を呈する第２プラグ指標が設けられていることを特徴とする。
【０００８】
請求項３に記載の発明は、請求項２に記載の電子機器において、
前記第１プラグ指標には、前記第１モジュラジャックに対応する第１モジュラプラグを挿入可能な第１穴部が形成され、前記第２プラグ指標には、前記第２モジュラジャックに対応する第２モジュラプラグを挿入可能な第２穴部が形成されていることを特徴とする。
【０００９】
請求項４に記載の発明は、請求項２又は３に記載の電子機器において、
前記第１プラグ指標及び前記第２プラグ指標は、それぞれのプラグ指標に対応するモジュラジャックに差し込まれるモジュラプラグの差し込み可能な向きを示していることを特徴とする。
【００１０】
請求項５に記載の発明は、請求項２〜４の何れか一項に記載の電子機器において、
前記第１モジュラジャック及び前記第２モジュラジャックは、前記筐体を正対して臨んだときに隠れた位置に配設されており、
前記第１プラグ指標及び前記第２プラグ指標は、前記筐体を正対して臨んだ際に、それぞれのプラグ指標が対応する前記第１モジュラジャック及び前記第２モジュラジャックの配置を示す位置に視認可能に設けられていることを特徴とする。
【発明の効果】
【００１１】
請求項１に記載の発明によれば、電子機器の筐体において、第１モジュラジャックの近傍には第１モジュラジャックの開口形状を呈する第１プラグ指標が設けられ、第２モジュラジャックの近傍には第２モジュラジャックの開口形状を呈する第２プラグ指標が設けられているので、ユーザは、第１プラグ指標の形状と第１モジュラプラグの形状が一致することを確認して、その第１モジュラプラグを第１モジュラジャックに差し込むことや、第２プラグ指標の形状と第２モジュラプラグの形状が一致することを確認して、その第２モジュラプラグを第２モジュラジャックに差し込むことができる。つまり、第１モジュラジャックと第２モジュラジャックの形状が類似しているような場合であっても、第１モジュラプラグを第２モジュラジャックに誤って差し込んだり、第２モジュラプラグを第１モジュラジャックに誤って差し込んだりすることを防止することができる。
よって、この電子機器は、形状が類似するジャックに対するプラグの誤挿入をより確実に防止することができる電子機器であるといえる。
【００１２】
また、電子機器における第１プラグ指標には第１モジュラプラグを挿入可能な第１穴部が形成され、第２プラグ指標には第２モジュラプラグを挿入可能な第２穴部が形成されているので、それぞれのモジュラプラグをそれぞれの穴部に仮に差し込むことによって、それぞれの穴部に対するそれぞれのモジュラプラグの形状や大きさの一致、不一致をより確実に確認することが可能になる。そして、第１モジュラプラグを第１モジュラジャックに間違いなく差し込み、第２モジュラプラグを第２モジュラジャックに間違いなく差し込むことが可能になる。
【００１３】
また、電子機器における第１プラグ指標及び第２プラグ指標は、それぞれのプラグ指標に対応するモジュラジャックに差し込まれるべきモジュラプラグの差し込み可能な向きを示しているので、それぞれのモジュラプラグの形状や大きさを各プラグ指標によって確認した状態を維持するようにして、そのモジュラプラグをモジュラジャックに案内することによって、それぞれのモジュラプラグをそれぞれのモジュラジャックに容易に差し込むことができる。
【００１４】
また、電子機器における第１モジュラジャック及び第２モジュラジャックは、電子機器の筐体を正対して臨んだときに隠れた位置に配設されているので、そのモジュラジャックを見難く、それぞれのモジュラジャックの位置や形状を確認し難いが、第１プラグ指標及び第２プラグ指標が、それぞれのプラグ指標が対応する第１モジュラジャック及び第２モジュラジャックの配置を示す位置に視認可能に設けられているために、各プラグ指標に従って、それぞれのモジュラプラグをそれぞれのモジュラジャックに差し込むことが可能になっている。
【００１５】
請求項２に記載の発明によれば、電子機器の筐体において、第１モジュラジャックの近傍には第１モジュラジャックの開口形状を呈する第１プラグ指標が設けられ、第２モジュラジャックの近傍には第２モジュラジャックの開口形状を呈する第２プラグ指標が設けられているので、ユーザは、第１プラグ指標の形状と第１モジュラプラグの形状が一致することを確認して、その第１モジュラプラグを第１モジュラジャックに差し込むことや、第２プラグ指標の形状と第２モジュラプラグの形状が一致することを確認して、その第２モジュラプラグを第２モジュラジャックに差し込むことができる。
つまり、第１モジュラジャックと第２モジュラジャックの形状が類似しているような場合であっても、第１モジュラプラグを第２モジュラジャックに誤って差し込んだり、第２モジュラプラグを第１モジュラジャックに誤って差し込んだりすることを防止することができる。
【００１６】
請求項３に記載の発明によれば、請求項２に記載の発明と同様の効果が得られることは無論のこと、電子機器における第１プラグ指標には第１モジュラプラグを挿入可能な第１穴部が形成され、第２プラグ指標には第２モジュラプラグを挿入可能な第２穴部が形成されているので、各モジュラプラグを各穴部に仮に差し込むことによって、それぞれの穴部に対するそれぞれのモジュラプラグの形状や大きさの一致、不一致をより確実に確認することが可能になる。
そして、第１モジュラプラグを第１モジュラジャックに間違いなく差し込み、第２モジュラプラグを第２モジュラジャックに間違いなく差し込むことが可能になる。
【００１７】
請求項４に記載の発明によれば、請求項２又は３に記載の発明と同様の効果が得られることは無論のこと、電子機器における第１プラグ指標及び第２プラグ指標は、それぞれのプラグ指標に対応するモジュラジャックに差し込まれるべきモジュラプラグの差し込み可能な向きを示しているので、各モジュラプラグの形状や大きさを各プラグ指標によって確認した状態を維持するようにして、そのモジュラプラグをモジュラジャックに案内することによって、それぞれのモジュラプラグをそれぞれのモジュラジャックに容易に差し込むことができる。
【００１８】
請求項５に記載の発明によれば、請求項２〜４の何れか一項に記載の発明と同様の効果が得られることは無論のこと、電子機器における第１モジュラジャック及び第２モジュラジャックは、電子機器の筐体を正対して臨んだときに隠れた位置に配設されているので、そのモジュラジャックを見難く、それぞれのモジュラジャックの位置や形状を確認し難いが、第１プラグ指標及び第２プラグ指標が、それぞれのプラグ指標が対応する第１モジュラジャック及び第２モジュラジャックの配置を示す位置に視認可能に設けられているために、各プラグ指標に従って、それぞれのモジュラプラグをそれぞれのモジュラジャックに差し込むことが可能になっている。
【発明を実施するための最良の形態】
【００１９】
以下、図を参照して本発明に係る電子機器の実施形態を詳細に説明する。なお、発明の範囲は、図示例に限定されない。
本実施の形態では、電子機器として、テレビジョン受像機（以下、「ＴＶ受像機」という）を例示して説明することとする。
【００２０】
ＴＶ受像機１００は、図１（ａ）、（ｂ）、図２に示すように、筐体１と、筐体１の前面側に備えられる映像表示部２と、受像機本体を支える台座部３等を備えている。
【００２１】
筐体１は、図示しないチューナやデコーダなど、ＴＶ受像機１００を構成する各部を内部に収容するケース体である。
この筐体１の後面側には、図１（ｂ）、図２に示すように、各種装置やシステムと接続するための入出力端子やモジュラジャックが複数備えられるコネクタ部１０が設けられている。
【００２２】
映像表示部２は、例えば、液晶表示ディスプレイであり、アンテナを介してチューナが受信した放送信号に基づき、デコーダから出力された映像データに応じた映像を表示する表示部として機能する。
【００２３】
台座部３は、例えば、筐体１と一体的に成型されており、映像表示部２に表示される映像や図示しない音声出力部（例えば、スピーカ）から出力される音声を好適に視聴することができるように、ＴＶ受像機１００を所望する箇所に設置するための台座である。
【００２４】
コネクタ部１０は、図２、図３（ａ）、（ｂ）に示すように、筐体１において後面側に張り出すように設けられており、その張り出したコネクタ部１０の下面側に複数の入出力端子やモジュラジャックが、その開口を下方に向けるように備えられている。
そして、このコネクタ部１０の下面には、ＬＡＮ接続用の８ピン式の第１モジュラプラグ５１が差し込まれる第１モジュラジャック１１と、電話回線接続用の６ピン式の第２モジュラプラグ５２が差し込まれる第２モジュラジャック１２と、アンテナ入力端子やビデオ入出力端子等が設けられている。
つまり、図１（ｂ）、図３（ａ）に示すように、第１モジュラジャック１１及び第２モジュラジャック１２は、筐体１を正対して臨んだときに隠れた位置に配設されている。
【００２５】
第１モジュラジャック１１は、ＬＡＮ接続用のＲＪ−４５モジュラプラグである第１モジュラプラグ５１を差し込み、所定のケーブルを介してＴＶ受像機１００とＬＡＮとを接続するためのＲＪ−４５モジュラジャックである。
第２モジュラジャック１２は、電話回線接続用のＲＪ−１１モジュラプラグである第２モジュラプラグ５２を差し込み、所定のケーブルを介してＴＶ受像機１００と電話回線とを接続するためのＲＪ−１１モジュラジャックである。
なお、ＲＪ−４５用の第１モジュラジャック１１と、ＲＪ−１１用の第２モジュラジャック１２とは、その形状が類似しているが、第１モジュラジャック１１は、第２モジュラジャック１２に比べて一回り大きいサイズを有している。
【００２６】
このＴＶ受像機１００の筐体１のコネクタ部１０における第１モジュラジャック１１の近傍には、その第１モジュラジャック１１の開口形状を呈する第１プラグ指標１１ａが設けられており、また、筐体１のコネクタ部１０における第２モジュラジャック１２の近傍には、その第２モジュラジャック１２の開口形状を呈する第２プラグ指標１２ａが設けられている。
具体的には、コネクタ部１０における第１モジュラジャック１１の近傍であって、その第１モジュラジャック１１の開口をコネクタ部１０の下面から後面側にスライド移動させた位置に、第１モジュラジャック１１の開口と同一形状を呈する第１プラグ指標１１ａが設けられており、その第１プラグ指標１１ａには、第１モジュラジャック１１に対応する第１モジュラプラグ５１を挿入可能な第１穴部１１ａが形成されている。同様に、コネクタ部１０における第２モジュラジャック１２の近傍であって、その第２モジュラジャック１２の開口をコネクタ部１０の下面から後面側にスライド移動させた位置に、第２モジュラジャック１２の開口と同一形状を呈する第２プラグ指標１２ａが設けられており、その第２プラグ指標１２ａには、第２モジュラジャック１２に対応する第２モジュラプラグ５２を挿入可能な第２穴部１２ａが形成されている。
そして、第１プラグ指標である第１穴部１１ａ及び第２プラグ指標である第２穴部１２ａは、筐体１を正対して臨んだ際に、それぞれ第１モジュラジャック１１及び第２モジュラジャック１２の配置を示す位置に視認可能に設けられている。
なお、第１穴部１１ａや第２穴部１２ａは、モジュラプラグの形状を確認するための穴部であるので、差し込まれたモジュラプラグがその穴部に嵌合するようなことはなく、第１穴部１１ａには第１モジュラプラグ５１が、第２穴部１２ａには第２モジュラプラグ５２が抜き差し容易になっている。
【００２７】
特に、第１穴部１１ａ及び第２穴部１２ａは、各モジュラジャック（１１，１２）の開口をコネクタ部１０の下面から後面側に、前後方向及び上下方向にスライド移動させた位置に形成されているので、この第１プラグ指標１１ａ及び第２プラグ指標１２ａは、それぞれのモジュラジャックに差し込まれるモジュラプラグの差し込み可能な向きを示すように設けられているといえる。
つまり、第１穴部１１ａや第２穴部１２ａに挿入可能なモジュラプラグをその穴部から抜き出した状態で、そのプラグの軸方向に回転させることなく、そのプラグをＴＶ受像機１００の上下方向及び前後方向にスライド移動させていけば、各穴部（１１ａ，１２ａ）に応じたモジュラジャック（１１，１２）に案内されるようになっている。
具体的には、第１穴部１１ａに挿入可能であった第１モジュラプラグ５１を上下方向及び前後方向にスライド移動させていけば、その第１穴部１１ａに応じた第１モジュラジャック１１に案内され、また、第２穴部１２ａに挿入可能であった第２モジュラプラグ５２を上下方向及び前後方向にスライド移動させていけば、その第２穴部１２ａに応じた第２モジュラジャック１２に案内される。
【００２８】
次に、本発明のＴＶ受像機１００における第１モジュラジャック１１及び第２モジュラジャック１２に、各モジュラジャックに対応する第１モジュラプラグ５１と第２モジュラプラグ５２を差し込む際の動作について説明する。
【００２９】
例えば、ＴＶ受像機１００の筐体１におけるコネクタ部１０に備えられるモジュラジャックに差し込むべきモジュラプラグであって、第１モジュラプラグ５１と第２モジュラプラグ５２の何れであるか認識できないモジュラプラグがあった場合、まず、コネクタ部１０の後面に設けられている第１プラグ指標である第１穴部１１ａや第２プラグ指標である第２穴部１２ａに対して、そのモジュラプラグをモジュラジャックに差し込む向きに宛がうようにして、その形状を比較したり、実際にそのモジュラプラグを第１穴部１１ａや第２穴部１２ａに挿入したりして、その形状や大きさの一致や不一致を判断する。
【００３０】
そして、モジュラプラグの形状と、プラグ指標である穴部の形状が一致した場合、つまり、第１穴部１１ａと第１モジュラプラグ５１との一致や、第２穴部１２ａと第２モジュラプラグ５２との一致が確認された場合に、そのモジュラプラグ（５１，５２）を軸回転させることなく、ＴＶ受像機１００の上下方向の下方及び前後方向の前方にスライド移動させていけば、所定のモジュラジャックに案内されるので、その案内されたモジュラジャックに対して、モジュラプラグを下から上へ突き上げるようにして差し込むことにより、所定の接続を行うことができる。
具体的には、第１穴部１１ａとの形状一致が確認された第１モジュラプラグ５１を第１モジュラジャック１１に差し込むことによって、ＬＡＮとの接続がなされる。また、第２穴部１２ａとの形状一致が確認された第２モジュラプラグ５２を第２モジュラジャック１２に差し込むことによって、電話回線との接続がなされる、
【００３１】
特に、第１モジュラジャック１１及び第２モジュラジャック１２が、筐体１を正対して臨んだときに隠れた位置に配設されている場合でも、各穴部（１１ａ，１２ａ）によってその向きが定められたモジュラプラグ（５１，５２）をスライド移動させるように案内させて、第１モジュラプラグ５１を対応する第１モジュラジャック１１に差し込み、第２モジュラプラグ５２を対応する第２モジュラジャック１２に差し込むことを容易に行うことができる。
【００３２】
このように、本発明に係るＴＶ受像機１００において、その筐体１のコネクタ部１０に形成された第１穴部１１ａの形状と一致することが確認された第１モジュラプラグ５１を第１モジュラジャック１１に容易に差し込むことができ、また、コネクタ部１０に形成された第２穴部１２ａの形状と一致することが確認された第２モジュラプラグ５２を第２モジュラジャック１２に容易に差し込むことができるので、ＴＶ受像機１００とＬＡＮや電話回線との接続を容易に行うことができる。
【００３３】
特に、このＴＶ受像機１００において、第１モジュラジャック１１に差し込むべき第１モジュラプラグ５１であることを、第１穴部１１ａにモジュラプラグを仮に差し込むことによって確認してから第１モジュラプラグ５１を第１モジュラジャック１１に差し込むことや、第２モジュラジャック１２に差し込むべき第２モジュラプラグ５２であることを、第２穴部１２ａにモジュラプラグを仮に差し込むことによって確認してから第２モジュラプラグ５２を第２モジュラジャック１２に差し込むことが可能になっているので、第１モジュラプラグ５１を第２モジュラジャック１２に誤って差し込んだり、第２モジュラプラグ５２を第１モジュラジャック１１に誤って差し込んだりすることを防止することができる。
つまり、このＴＶ受像機１００は、形状が類似するジャックに対するプラグの誤挿入をより確実に防止することができる電子機器であるといえる。
そして、モジュラプラグのモジュラジャックに対する誤挿入によって、そのプラグやジャックを損傷してしまうトラブルを防止することができる。
【００３４】
なお、以上の実施の形態においては、第１プラグ指標１１ａと第２プラグ指標１２ａはそれぞれに対応するモジュラプラグが挿入可能な穴部であるとしたが、本発明はこれに限定されるものではなく、例えば、第１プラグ指標１１ａと第２プラグ指標１２ａが、各モジュラジャックの開口形状を呈するシールや印刷マークであって、各プラグ指標と各モジュラプラグの形状を比較して、その一致や不一致を判断することができるものであればよい。
【００３５】
また、その他、具体的な細部構造等についても適宜に変更可能であることは勿論である。
【図面の簡単な説明】
【００３６】
【図１】本発明に係るＴＶ受像機を示す正面図（ａ）と、後面図（ｂ）である。
【図２】本発明に係るＴＶ受像機を示す側面図である。
【図３】ＴＶ受像機の筐体におけるコネクタ部を示す後方正面図（ａ）と、図３（ａ）の矢印ｂ方向からの下面図（ｂ）である。
【図４】筐体のコネクタ部の各モジュラジャックにそれぞれモジュラプラグを差し込む状態を示す説明図である。
【符号の説明】
【００３７】
１      筐体
２      映像表示部
１０    コネクタ部
１１    第１モジュラジャック
１１ａ  第１穴部、第１プラグ指標
１２    第２モジュラジャック
１２ａ  第２穴部、第２プラグ指標
５１    第１モジュラプラグ
５２    第２モジュラプラグ
１００  ＴＶ受像機（電子機器）
【図１】
2008181736.tif 000003
【図２】
2008181736.tif 000004
【図３】
2008181736.tif 000005
【図４】
2008181736.tif 000006